(57)【特許請求の範囲】
【請求項１】
大容量一定速圧縮機、小容量一定速圧縮機、四方弁、室外側熱交換器、室外側絞り装置からなる室外機と、室内側熱交換器、室内側絞り装置からなる複数の室内機を接続して冷媒回路を構成し、前記大容量一定速圧縮機の運転能力に略相当する負荷を高負荷側設定値とし、前記小容量一定速圧縮機の運転能力に略相当する負荷を低負荷側設定値とし、前記複数の室内機の総負荷を検知する総負荷検知手段と、前記総負荷と前記高負荷側設定値とし前記低負荷側設定値を比較する負荷比較手段と、前記負荷比較手段により比較された結果に基づき前記総負荷が、前記高負荷側設定値より大きい場合は、前記小容量一定速圧縮機が発停し、かつ前記大容量一定速圧縮機が連続運転し、また、前記総負荷が前記高負荷側設定値と前記低負荷側設定値の中間の場合は、前記小容量一定速圧縮機と前記大容量一定速圧縮機が交互に発停し、また、前記総負荷が低負荷側設定値より小さい場合は、前記大容量一定速圧縮機が停止し、前記小容量一定速圧縮機が発停する複数圧縮機発停制御手段を設けた多室型空気調和機。
【請求項２】
大容量一定速圧縮機、小容量一定速圧縮機、四方弁、室外側熱交換器、室外側絞り装置、前記大容量一定速圧縮機及び前記小容量一定速圧縮機の吐出系統と吸入系統を結ぶバイパス弁を有するバイパス管からなる室外機と、室内側熱交換器、室内側絞り装置から成る複数の室内機を接続して冷媒回路を構成し、前記大容量一定速圧縮機の運転能力に略相当する負荷を高負荷側設定値とし、前記小容量一定速圧縮機の運転能力に略相当する負荷を低負荷側設定値とし、前記複数の室内機の総負荷を検知する総負荷検知手段と、前記総負荷と前記高負荷側設定値及び前記低負荷側設定値を比較する負荷比較手段と、前記負荷比較手段により比較された結果に基づき前記総負荷が前記高負荷側設定値より大きい場合は、前記小容量一定速圧縮機が発停し、かつ前記大容量一定速圧縮機が連続運転し、また、前記総負荷が前記高負荷側設定値と前記低負荷側設定値の中間の場合は、前記小容量一定速圧縮機と前記大容量一定速圧縮機が交互に発停し、さらに前記総負荷が前記低負荷側設定値より小さい場合は、前記大容量一定速圧縮機が停止し、かつ前記小容量一定速圧縮機が連続運転し、かつ前記総負荷と前記低負荷側設定値との差に応じて前記バイパス弁を開閉動作するシステム能力制御手段を設けた多室型空気調和機。
【請求項３】
大容量一定速圧縮機、小容量一定速圧縮機、四方弁、室外側熱交換器、室外側絞り装置、前記大容量一定速圧縮機及び前記小容量一定速圧縮機の吐出系統と吸入系統を結ぶバイパス弁を有するバイパス管からなる室外機と、室内側熱交換器、室内側絞り装置からなる複数の室内機を接続して冷媒回路を構成し、前記大容量一定速圧縮機し運転能力に略相当する負荷負荷を高負荷側設定値とし、前記小容量一定速圧縮機の運転能力に略相当する負荷を低負荷側設定値とし、前記複数の室内機の総負荷を検知する総負荷検知手段と、前記総負荷と前記高負荷側設定値及び前記低負荷側設定値を比較する負荷比較手段と、前記負荷比較手段により比較された結果に基づき前記総負荷が前記高負荷側設定値より大きい場合は、前記小容量一定速圧縮機および前記大容量一定速圧縮機が連続運転し、かつ前記総負荷と前記高負荷側設定値との差に応じて前記バイパス弁を開閉動作し、また、前記総負荷が前記高負荷側設定値と前記低負荷側設定値の中間の場合には、前記小容量一定速圧縮機が停止し、前記大容量一定速圧縮機が連続運転し、かつ前記総負荷と前記高負荷側設定値との差に応じて前記バイパス弁を開閉動作し、さらに前記総負荷が前記低負荷側設定値より小さい場合は、前記大容量一定速圧縮機が停止し、かつ前記小容量一定速圧縮機が連続運転し、かつ前記総負荷と前記低負荷側設定値との差に応じて前記バイパス弁を開閉動作するシステム能力制御手段を設けた多室型空気調和機。
【請求項４】
大容量一定速圧縮機、小容量一定速圧縮機、四方弁、室外側熱交換器、室外側絞り装置、前記大容量一定速圧縮機及び前記小容量一定速圧縮機の吐出系統と吸入系統を結ぶバイパス弁を有するバイパス管からなる室外機と、室内側熱交換器、室内側絞り装置から成る複数の室内機を接続して冷媒回路を構成し、前記大容量一定速圧縮機の運転能力に略相当する負荷を高負荷側設定値とし、前記小容量一定速圧縮機の運転能力略相当する負荷を低負荷側設定値とし、前記複数の室内機の総負荷を検知する総負荷検知手段と、前記総負荷と高負荷側設定値及び低負荷側設定値を比較する負荷比較手段と、前記負荷比較手段により比較された結果に基づき前記総負荷が前記高負荷側設定値より大きい場合は、前記小容量一定速圧縮機および前記大容量一定速圧縮機が連続運転し、かつ前記総負荷と前記高負荷側設定値との差に応じて前記バイパス弁を開閉動作し、なおかつ前記総負荷と前記高負荷側設定値との差が所定値以下になった場合には、前記小容量一定速圧縮機が発停し、前記大容量一定速圧縮機が連続運転し、前記バイパス弁は閉止し、また、前記総負荷が前記高負荷側設定値と前記低負荷側設定値の中間の場合には、前記小容量一定速圧縮機が停止し、前記大容量一定速圧縮機が連続運転し、かつ前記総負荷と前記高負荷側設定値との差に応じて前記バイパス弁を開閉動作し、なおかつ前記総負荷と前記高負荷側設定値との差が所定値以下になった場合には、前記小容量一定速圧縮機と前記大容量一定速圧縮機が交互に発停し、前記バイパス弁は閉止し、さらに前記総負荷が前記低負荷側設定値より小さい場合は、前記大容量一定速圧縮機が停止し、かつ前記小容量一定速圧縮機が連続運転し、かつ前記総負荷と前記低負荷側設定値との差に応じて前記バイパス弁を開閉動作するシステム能力制御手段を設けた多室型空気調和機。
【請求項５】
総負荷が低負荷側設定値より小さい場合は、大容量一定速圧縮機が停止し、小容量一定速圧縮機が連続運転し、かつ前記総負荷と前記低負荷側設定値との差に応じて前記バイパス弁を開閉動作し、かつ前記総負荷が所定値よりも小さい場合は、前記大容量一定速圧縮機が停止し、前記小容量一定速圧縮機が発停するシステム能力制御手段を設けた請求項２または４に記載の多室型空気調和機。
【請求項６】
総負荷が高負荷側設定値と低負荷側設定値の中間の場合で、小容量一定速圧縮機と大容量一定速圧縮機が交互に発停するときは、前記小容量一定速圧縮機の運転開始と前記大容量一定速圧縮機の運転停止とが略同時であり、また前記小容量一定速圧縮機の運転停止と前記大容量一定速圧縮機の運転開始とが略同時であることを特徴とする請求項１，２，４，５のいずれかに記載の多室型空気調和機。
【請求項７】
総負荷が高負荷側設定値と低負荷側設定値の中間の場合で、小容量一定速圧縮機と大容量一定速圧縮機が交互に発停するときは、前記総負荷に応じて前記小容量一定速圧縮機の運転時間と前記大容量一定速圧縮機の運転時間の比率を制御することを特徴とする請求項１，２，４，５のいずれかに記載の多室型空気調和機。
【発明の詳細な説明】
【０００１】
【発明の属する技術分野】
本発明は、複数台の圧縮機を搭載した多室型空気調和機に関するものであり、詳しくはその室外ユニットの能力制御に関するものである。
【０００２】
【従来の技術】
図７は、特開昭６３−２９５８８０号公報に記載された従来の多室型空気調和機のシステム構成図であり、１は能力の小さい極数変換可能な第１圧縮機であり、能力は４ＨＰと２ＨＰの制御が可能である。２は能力の大きい極数変換可能な第２圧縮機であり、能力は６ＨＰと３ＨＰの制御が可能である。
【０００３】
３ａ，３ｂは第１圧縮機１または第２圧縮機２の内、片方が運転し他方が停止していた場合に、停止側の圧縮機への冷媒寝込み防止用逆止弁、４は室外側熱交換器、５はアキュムレータ６は第１圧縮機１と第２圧縮機２内の冷凍機油のレベルを同一にする均油管であり、これらは室外ユニット７に収納されている。８ａ，８ｂ，８ｃ，８ｄはユニットで、それぞれ全閉機能を備えた室内側減圧装置９ａ，９ｂ，９ｃ，９ｄと室内側熱交換器１０ａ，１０ｂ，１０ｃ，１０ｄを有している。
【０００４】
ここで室内ユニット８ａ，８ｃは能力が３ＨＰであり、室内ユニット８ｂ，８ｄは能力が２ＨＰである。
また、この室内ユニット８ａ，８ｂ，８ｃ，８ｄと室外ユニット７はガス側主配管１１と液側主配管１２およびガス側主配管１１より分岐したガス側支管１１ａ，１１ｂ，１１ｃ，１１ｄと液側支管１２ａ，１２ｂ，１２ｃ，１２ｄによって連通されている。
【０００５】
次に従来の多室型空気調和機について、以下動作を説明する。
第１圧縮機１および第２圧縮機より吐出された冷媒は逆止弁３ａ，３ｂを通って室外側熱交換器４に送られ凝縮液化し、液側主配管１２、液側支管１２ａ，１２ｂ，１２ｃ，１２ｄを通って室内ユニット８ａ，８ｂ，８ｃ，８ｄに送られる。ここで室内側減圧装置９ａ，９ｂ，９ｃ，９ｄで減圧され、室内側熱交換器１０ａ，１０ｂ，１０ｃ，１０ｄで蒸発し、冷房に寄与してガス化され、ガス側支管１１ａ，１１ｂ，１１ｃ，１１ｄ、およびガス側主配管１１を通って室外ユニット７に送られ、アキュムレータ５から第１圧縮機１および第２圧縮機に帰還し循環する。
【０００６】
ここで、たとえば室内ユニット８ａ，８ｂ，８ｃ，８ｄが４台運転中、３ＨＰの容量である室内ユニット８ａが運転を停止した場合には、室内運転容量は７０％となり、６ＨＰの能力を持つ第２圧縮機２の極数を２極から４極として第２圧縮機２の能力を半減することにより、室外ユニット７の能力は７ＨＰ（７０％）となり、室内運転容量に見合った室外ユニット能力を出力することができる。
【０００７】
この従来の多室型空気調和機によれば、それぞれ２極４極変換可能な第１圧縮機１と第２圧縮機２の能力比を２対３（２極時４ＨＰ対６ＨＰ、４極時２ＨＰ対３ＨＰ）にすることにより、能力が８段階に制御可能となり、複数の異馬力室内ユニットを個別に運転し、運転容量が変化しても室外ユニットの能力を室内ユニットの運転容量に簡単に合わすことができるので、システム構成が簡素化され効率のよい運転が実現できるものである。
【０００８】
【発明が解決しようとする課題】
しかしながら、このような従来の多室型空気調和機では、極変圧縮機を用いた段階制御となっているため、圧縮機の運転台数の変更と共に、極数の変更を行う必要があり、切り換えの回数が増加して制御が複雑になっていた。
【０００９】
また、第１圧縮機１と第２圧縮機２の能力比を２対３とし、かつそれぞれの圧縮機を２極４極変換可能として、それぞれを組み合わせる運転をすることにより能力の段階制御（２ＨＰ〜１０ＨＰすなわち２０％，３０％，４０％，・・・，１００％運転）を可能とするものであるが、これらの段階の中間の能力が必要な場合、たとえば３．５ＨＰの室内ユニットを運転する場合には３５％の能力制御が必要となるが、ここにおいては１０％ごとの段階制御であるため、第１圧縮機１を停止し、第２圧縮機２を４極で運転する３ＨＰ（３０％）運転では、３．５ＨＰの室外ユニットの能力を満たすことができず能力不足となり、また第１圧縮機１を２極で運転し、第２圧縮機２を停止する４ＨＰ（４０％）運転では、能力が過剰となるため減圧装置で過度に減圧して能力低下させる必要があり、運転効率が低下する問題点があった。
【００１０】
本発明は従来の課題を解決するものであり、簡単な構成および制御によって、負荷の大小にかかわらず負荷に見合った能力制御が可能となり、広い負荷範囲で能力の過不足の起こることのない高効率な運転のできる多室型空気調和機を提供するものである。
【００１１】
【課題を解決するための手段】
この目的を達成するため本発明は、大容量一定速圧縮機と小容量一定速圧縮機を備え、室内機の総負荷と大容量一定速圧縮機の能力に相当する高負荷側設定値、小容量一定速圧縮機の能力に相当する低負荷側設定値を比較し、その比較結果に応じて大容量および小容量一定速圧縮機の運転／停止をさせることにより、あらゆる負荷の状況でも、簡単な制御で広範囲の能力制御が可能となり、高効率な運転が可能となる。
【００１２】
また、総負荷が低負荷側設定値より小さく、総負荷と低負荷側設定値との差が大きい場合には、吐出系統と吸入系統を接続するバイパス弁を開方向に動作させることにより、吐出ガスの吸入系統へのバイパス量を調整することにより、負荷が小さい場合にもきめ細かい能力制御が可能となる。さらにまた、総負荷と設定値との差に応じてバイパス量を調整することにより広範囲での能力制御を可能とし、また、バイパス量の過剰な場合には圧縮機台数制御に切り換えるようにしたので、バイパス量増加による効率の低下を防止しながら、高効率な運転を行うことができる。
【００１３】
【発明の実施の形態】
本発明は、大容量一定速圧縮機、小容量一定速圧縮機、四方弁、室外側熱交換器、室外側絞り装置からなる室外機と、室内側交換器、室内側絞り装置からなる複数の室内機を接続して冷媒回路を構成し、前記大容量一定速圧縮機の運転能力に略相当する負荷を高負荷側設定値とし、前記小容量一定速圧縮機の運転能力に略相当する負荷を低負荷側設定値とし、前記複数の室内機の総負荷を検知する総負荷検知手段と、前記総負荷と前記高負荷側設定値と前記低負荷側設定値を比較する負荷比較手段と、前記負荷比較手段により比較された結果に基づき前記総負荷が、前記高負荷側設定値より大きい場合は、前記小容量一定速圧縮機が発停し、かつ前記大容量一定速圧縮機が連続運転し、また、前記総負荷が前記高負荷側設定値と前記低負荷側設定値の中間の場合は、前記小容量一定速圧縮機と前記大容量一定速圧縮機が交互に発停し、また、前記総負荷が停負荷側設定値より小さい場合は、前記大容量一定速圧縮機が停止し、前記小容量一定速圧縮機が発停する複数圧縮機発停制御手段を設けるものである。
【００１４】
また、前記大容量一定速圧縮機および前記小容量一定速圧縮機の吐出系統と吸入系統を接続するバイパス弁を有するバイパス管を設け、総負荷が低負荷側設定値より小さい場合に小容量一定速圧縮機が連続運転し、かつ大容量一定速圧縮機が停止し、前記総負荷と低負荷側設定値との差に応じて前記バイパス弁を開閉するシステム能力制御手段を設けるものである。
【００１５】
また、前記総負荷が高負荷側設定値より大きい場合は小容量一定速圧縮機および大容量一定速圧縮機圧縮機が連続運転し、かつ総負荷と高負荷側設定値との差に応じて前記バイパス弁を開閉し、また前記総負荷が高負荷側設定値と低負荷側設定値の間の場合には、小容量一定速圧縮機は停止し、大容量一定速圧縮機が連続運転し、かつ総負荷と高負荷側設定値との差に応じて前記バイパス弁を開閉し、また前記総負荷が低負荷側設定値より小さい場合は小容量一定速圧縮機が連続運転し、大容量一定速圧縮機は停止し、かつ総負荷と高負荷側設定値との差に応じて前記バイパス弁を開閉するシステム能力手段を設けるものである。
【００１６】
また、前記総負荷が高負荷側設定値より大きい場合は小容量一定速圧縮機および大容量一定速圧縮機が連続運転し、かつ総負荷と高負荷側設定値との差に応じて前記バイパス弁を開閉し、総負荷と高負荷側設定値との差が所定値以上になった場合には、バイパス弁を閉止し、小容量一定速圧縮機が発停かつ大容量一定速圧縮機が連続運転し、また前記総負荷が高負荷側設定値と低負荷側設定値の間の場合には、小容量一定速圧縮機は停止し、大容量一定速圧縮機が連続運転し、かつ総負荷と高負荷側設定値との差に応じて前記バイパス弁を開閉し、総負荷と高負荷側設定値との差が所定値以上になった場合には、バイパス弁を閉止し、小容量一定速圧縮機と大容量一定速圧縮機が交互に発停し、さらに、前記総負荷が低負荷側設定値より小さい場合は小容量一定速圧縮機が連続運転し、かつ大容量一定速圧縮機は停止し、かつ総負荷と高負荷側設定値との差に応じて前記バイパス弁を開閉するシステム能力制御手段を設けるものである。
【００１７】
また、総負荷が低負荷側設定値より小さい場合は、大容量一定速圧縮機が停止し、小容量一定速圧縮機が連続運転し、かつ総負荷と低負荷側設定値との差に応じてバイパス弁を開閉動作し、かつ総負荷が所定値よりも小さい場合は、大容量一定速圧縮機が停止し、小容量一定速圧縮機が発停するシステム能力制御手段を設けたものである。
【００１８】
また、総負荷が高負荷側設定値と低負荷側設定値の中間の場合で、小容量一定速圧縮機と大容量一定速圧縮機が交互に発停するときは、小容量一定速圧縮機の運転開始と大容量一定速圧縮機の運転停止とが略同時であり、また小容量一定速圧縮機の運転停止と大容量一定速圧縮機の運転開始とが略同時であるようにするものである。
【００１９】
また、総負荷が高負荷側設定値と停負荷側設定値の中間の場合で、小容量一定速圧縮機と大容量一定速圧縮機が交互に発停するときは、総負荷に応じて小容量一定速圧縮機の運転時間と大容量一定速圧縮機の運転時間の比率を制御するものである。
【００２０】
本発明は上記のような構成をもつことにより、室内機の総負荷を検出し、あらかじめ設定してある高負荷設定値と停負荷設定値と総負荷とを比較して、総負荷が高負荷側設定値より大きい場合は、大容量一定速圧縮機を連続運転させ、かつ小容量一定速圧縮機は総負荷の大小により運転または停止を制御することにより、比較的大きな負荷の場合にそれに見合った能力の運転が可能となる。また、前記総負荷が高負荷側設定値と低負荷側設定値の間の場合には、小容量一定速圧縮機と大容量一定速圧縮機を交互に発停させ、各圧縮機の発停を制御することにより中程度の負荷の場合に、それに見合った能力の運転が可能となる。また、総負荷が停負荷側設定値より小さい場合には、大容量一定速圧縮機は停止させ、小容量一定速圧縮機は総負荷の大小により運転または停止を制御することにより比較的小さな負荷の場合にそれに見合った能力の運転が可能となり、圧縮機の簡単な運転台数制御で広範囲の負荷状況において連続した能力制御が可能となり、能力の過不足は起こることなく、常に高効率な運転が可能となる。また、吐出系統と吸入系統を接続するバイパス弁を有するバイパス管を設け、総負荷と低負荷側設定値との差が大きい場合には前記バイパス弁を開方向に動作させることにより、総負荷が低負荷側設定値より小さい場合に、大容量一定速圧縮機を停止、小容量一定速圧縮機を連続運転させ、吐出ガスの吸入系統へのバイパス量を調整することにより、冷凍サイクルの冷媒循環量を減少させて、負荷が小さい場合にもきめ細かい能力制御が可能となる。
【００２１】
また、総負荷が高負荷側設定値より大きい場合は小容量一定速圧縮機および大容量一定速圧縮機を連続運転さら、また、総負荷と高負荷側設定値との差が大きい場合には前記バイパスを開方向に動作させ、吐出ガスの吸入系統へのバイパス量を調整することにより、冷凍サイクルの冷媒循環量を減少させてきめ細かい能力制御を可能とし、差が一定値以上になった場合には小容量一定速圧縮機を発停させ、大容量一定速圧縮機を連続運転させることにより、大きな負荷変動に対しても追従できる能力制御が可能となる。また、総負荷が所定値よりも小さい場合は、大容量一定速圧縮機が停止し、小容量一定速圧縮機が発停するシステム能力制御手段を設けることにより、バイパスでは制御できなかいような小さい負荷においても、確実に能力制御でき、また、バイパス量の増加に伴う効率の低下も起こることがない。
【００２２】
また、小容量一定速圧縮機と大容量一定速圧縮機の交互運転の場合、小容量一定速圧縮機の運転／停止と大容量一定速圧縮機の停止／運転とを略同時にすることにより、圧縮機の切換時に大きく圧力変動などを起こすことがなく、したがって、起動停止にともなう能力や入力のロスがなくなるものである。
【００２３】
また、総負荷が高負荷側設定値と停負荷側設定値の中間の場合は、小容量一定速圧縮機と大容量一定速圧縮機が交互に発停し、かつ総負荷に応じて小容量一定速圧縮機の運転時間と大容量一定速圧縮機の運転時間の比率を制御することにより、略小容量一定速圧縮機から大容量一定速圧縮機の能力相当の負荷に対して、連続的でしかもきめ細かい能力制御が可能となる。
【００２４】
【実施例】
以下、本発明による多室型空気調和機の一実施例を図に基づいて説明する。
【００２５】
（実施例１）
図１は本発明の実施例１による多室型空気調和機のシステム構成図であり、２０は能力の小さい小容量一定速圧縮機であり、能力は４ＨＰである。２１は能力の大きい大容量一定速圧縮機であり、能力は６ＨＰである。
【００２６】
２２ａ，２２ｂは小容量一定速圧縮機２０または大容量一定速圧縮機２１の内、片方が運転し他方が停止していた場合に、停止側の圧縮機への冷媒寝込み防止用逆止弁、２３は四方弁、２４は室外側熱交換器、２５はアキュムレータ、２６は小容量一定速圧縮機２０と大容量一定速圧縮機２１内の冷凍機油のレベルを同一にする均油管、２７は室外側膨脹弁（室外側絞り装置）であり、これらは室外ユニット（室外機）２８に収納されている。
【００２７】
２９ａ，２９ｂ，２９ｃ，２９ｄは室内側ユニット（室内機）で、それぞれ全閉機能を備えた室内側膨脹弁（室内側絞り装置）３０ａ，３０ｂ，３０ｃ，３０ｄと室内側熱交換器３１ａ，３１ｂ，３１ｃ，３１ｄを有している。また、この室内ユニット２９ａ，２９ｂ，２９ｃ，２９ｄと室外ユニット２８はガス側主配管３２と液側主配管３３およびガス側主配管３２より分岐したガス支管３２ａ，３２ｂ，３２ｃ，３２ｄと液側支管３３ａ，３３ｂ，３３ｃ，３３ｄによって連通されている。
【００２８】
また、３４ａ，３４ｂ，３４ｃ，３４ｄは各室内ユニット２９ａ，２９ｂ，２９ｃ，２９ｄの室温を計測する室温センサーであり、その出力は総負荷検知手段３５に送られる。ここでは、運転中の室内ユニットの総負荷を検知し算出することができる。また、３６は総負荷検知手段３５で計算された総負荷と、あらかじめ設定してある高負荷側設定値および低負荷側設定値とを比較する負荷比較手段である。そして、３７は負荷比較手段３６の比較結果に基づき、小容量一定速圧縮機２０および大容量一定速圧縮機２１の運転、停止を制御する複数圧縮機発停制御手段である。
【００２９】
次にこの多室型空気調和機について、ここでは冷房運転時を例に動作を説明する。
【００３０】
小容量一定速圧縮機２０および大容量一定速圧縮機２１より吐出された冷媒は逆止弁２２ａ，２２ｂ、逆止弁２３を通って室外側熱交換器２４に送られ凝縮液化し、室外側膨脹弁２７および液側主配管３３、液側支管３３ａ，３３ｂ，３３ｃ，３３ｄを通って室内ユニット２９ａ，２９ｂ，２９ｃ，２９ｄに送られる。さらに室内側膨脹弁３０ａ，３０ｂ，３０ｃ，３０ｄで減圧され、室内側熱交換器３１ａ、３１ｂ、３１ｃ、３１ｄで蒸発し、冷房に寄与してガス化され、ガス側支管３２ａ，３２ｂ，３２ｃ，３２ｄ、およびガス側主配管３２を通って室外ユニット２８に送られ、四方弁２３、アキュムレータ２５を通り、小容量一定速圧縮機２０および大容量一定速圧縮機２１に帰還し循環する。
【００３１】
一方、各室内ユニット２９ａ，２９ｂ，２９ｃ，２９ｄの室温が室温センサー３４ａ，３４ｂ，３４ｃ，３４ｄで計測され、各室温の値は総負荷を検知する総負荷検知手段２５に送られる。ここでは、あらかじめ設定してある各室内ユニットの目標設定温度と室温との差および運転中の室内ユニットの容量（ＨＰ数）から式（１）の演算を行い、総負荷を算出する。
【００３２】
総負荷＝Σ運転室内機のＨＰ数×（室温−目標設定温度）      式（１）
さらに、大容量一定速圧縮機２１の運転能力に相当する負荷（６ＨＰ相当）を高負荷側設定値とし、小容量一定速圧縮機２０の運転能力に相当する負荷（４ＨＰ相当）を低負荷側設定値として定める。そして総負荷検知手段３５で計算された総負荷と、設定した高負荷側設定値および低負荷側設定値との比較結果に基づき、小容量一定速圧縮機２０および大容量一定速圧縮機２１の運転、停止を制御する。これを図２に示す運転制御フローチャートで説明する。
【００３３】
総負荷検知手段３５で検知された総負荷と高負荷側設定値との大小を判定し（４０）、大の場合は大容量一定速圧縮機２１（６ＨＰ）を連続運転させ小容量一定速圧縮機２０（４ＨＰ）は総負荷の値の大小や適正な圧力範囲になるように運転／停止を制御する（４１）。こうすることにより、６ＨＰ〜１０ＨＰの範囲の負荷に対応できる制御となる。
【００３４】
また、総負荷が高負荷側設定値より小の場合は、総負荷と低負荷側設定値と大小を判定し（４２）、大の場合には大容量一定速圧縮機２１と小容量一定速圧縮機２０を、総負荷の値の大小や適正な圧力範囲になるように交互に運転させることにより、４ＨＰ〜６ＨＰの範囲の負荷に対応した制御が可能となる（４３）。
【００３５】
すなわち、ここでは小容量一定速圧縮機２０と大容量一定速圧縮機２１の運転時間の比率を制御することにより、４ＨＰ〜６ＨＰの連続したきめ細かい能力制御が可能となるものである。
【００３６】
さらに、総負荷が低負荷側設定値より小の場合には大容量一定速圧縮機２１を停止し、小容量一定速圧縮機２０を、総負荷の値の大小や適正な圧力範囲になるように運転／停止を制御することにより、０ＨＰ〜４ＨＰの範囲の負荷に対応した能力制御か可能となる（４４）。
【００３７】
一方、小容量一定速圧縮機２０と大容量一定速圧縮機２１の交互運転の場合、小容量一定速圧縮機２０の運転開始時と大容量一定速圧縮機２１の運転停止時とほぼ同時にすれば、圧縮機の切換時の大きな圧力変動を起こすことがないため、冷凍サイクルの圧力がほぼ保たれるので、小容量一定速圧縮機２０の起動によって引き起こされる能力や入力のロスがなくなるものである。
【００３８】
以上のように、容量の異なる２台の一定速圧縮機の簡単な運転台数制御により、広い範囲での負荷に対応した（ここでは０ＨＰ〜１０ＨＰ）運転が可能となり、能力の過不足が起こることなく常に高効率なサイクルで運転できるものである。特に、本実施例では４ＨＰ〜６ＨＰの範囲においては、小容量一定速圧縮機２０と大容量一定速圧縮機２１を負荷に応じて交互に運転することにより、ほぼ連続したきめ細かい能力制御が可能であり、負荷変動に常に対応した高効率な運転が実現できるものである。
【００３９】
なお、本実施例では小容量一定速圧縮機２０を４ＨＰ、大容量一定速圧縮機２１を６ＨＰとして説明したが、これにこだわるものではなく、どのような容量の組み合わせも本発明に含まれるものである。
【００４０】
さらに、本実施例では総負荷検知手段３５での総負荷を式（１）で示すものとして説明したが、運転機のＨＰ数のみとして算出する負荷や外気温と室内との差などから算出できる負荷などとしても同様であり、これらは本発明に含まれるものである。
【００４１】
（実施例２）
図３は本発明の実施例２の多室型空気調和機のシステム構成図であり、図１と同様の構成で同様の機能を有するものについては同一の番号を記してあり、説明は省略する。
【００４２】
ここでは、逆止弁２２ａ，２２ｂと四方弁２３の間の吐出管５０とアキュムレータ２５と四方弁２３の間の吸入管５１をバイパス弁５２を介して接続している。また、負荷比較手段３６の比較結果に基づき、小容量一定速圧縮機２０および大容量一定速圧縮機２１の運転、停止を制御すると共にバイパス弁５２の開度を制御するシステム能力制御手段５３を設けている。
【００４３】
ここでは、総負荷検知手段３５で計算された総負荷と、あらかじめ設定してある高負荷側設定値および低負荷側設定値との比較結果に基づき、小容量一定速圧縮機２０および大容量一定速圧縮機２１の運転、停止およびバイパス弁５２の開度を制御するが、これを図４に示す運転制御フローチャートで説明する。ここにおいても図２と同様のフローを示すものについては同様の番号を記してあり、説明は省略する。
【００４４】
総負荷検知手段３５で検知された総負荷が高負荷側設定値より小の場合は、総負荷と低負荷側設定値との大小を判定し（４２）、総負荷が低負荷側設定値より小の場合には大容量一定速圧縮機２１を停止し、小容量一定速圧縮機２０を連続運転させる（５３）。さらに、総負荷の値の大小を判定し（５４）、総負荷が増加する場合にはバイパス弁５２を開方向に動作させ（５５）、総負荷が減少する場合にはバイパス弁５２を開方向に動作させる（５６）。こうすることにより、負荷が減少してきた場合には、小容量一定速圧縮機２０の吐出ガスを吐出管５０からバイパス弁５２を介して吸入管５１へとバイパスさせて冷凍サイクルへの冷媒循環量を下げて能力を減少させることができる。
【００４５】
すなわち、総負荷が低負荷側設定値より小さい場合には、小容量一定速圧縮機の運転／停止ではなく、バイパス弁５２の開度制御による連続した、きめ細かい能力制御ができるので、圧縮機の運転／停止にともなう大きな能力変動が起こることなく安定した運転ができる。
【００４６】
一方、総負荷の値の大小を判定して（５４）、それが所定値よりも小さい場合は、大容量一定速圧縮機を停止し、小容量一定速圧縮機のみで総負荷の値の大小や適正な圧力範囲になるように発停するようにすれば、バイパスでは制御できないような小さい負荷においても、確実に能力制御でき、また、バイパス量の増加に伴う効率の低下も起こることがない。
【００４７】
（実施例３）
図５は本発明の実施例３による多室型空気調和機の運転制御フローチャートを示す。また、ここで示すシステム構成図は図３と同様であり、説明は省略し、各圧縮機の制御およびバイパス弁５２の制御について説明する。
【００４８】
総負荷検知手段３５で検知された総負荷と高負荷側設定値と大小を判定し（６０）、大の場合は大容量一定速圧縮機２１（６ＨＰ）および小容量一定速圧縮機２０（４ＨＰ）を連続運転させる（６１）。さらに、総負荷の値の大小を判定し（６２）、総負荷が増加する場合にはバイパス弁５２を閉方向に動作させ（６３）、総負荷が減少する場合にバイパス弁５２をを開方向に動作させる（６４）。こうすることにより、バイパス弁バイパス５２による能力制御が付加され、小容量一定速圧縮機２０と大容量一定速圧縮機２１の同時運転では能力がやや過剰な運転条件などの場合に、特に適した能力制御が可能となる。
【００４９】
次に、総負荷が高負荷側設定値より小の場合は、総負荷と低負荷側設定値と大小を判定し（６５）、大の場合には大容量一定速圧縮機２１が連続運転し、小容量一定速圧縮機２０を停止させる（６６）。
【００５０】
さらに、総負荷の値の大小を判定し（６７）、総負荷が増加する場合にはバイパス弁５２を閉方向に動作させ（６８）、総負荷が減少する場合にはバイパス弁５２開方向に動作させる（６９）。
【００５１】
ここにおいても、バイパス弁５２による能力制御が付加されるので、大容量一定速圧縮機２１のみの運転では能力がやや過剰な運転条件などの場合に、特に適した能力制御が可能となる。
【００５２】
次に、総負荷が低負荷側設定値より小の場合には大容量一定速圧縮機２１を停止し、小容量一定速圧縮機２０を連続運転させる（７０）。さらに、総負荷の値の大小を判定し（７１）、総負荷が増加する場合にはバイパス弁５２を閉方向に動作させ（７２）、総負荷が減少する場合にはバイパス弁５２を開方向に動作させる（７３）。こうすることにより、総負荷が低負荷側設定値より小さい場合にも、小容量一定速圧縮機の運転／停止ではなく、バイパス弁５２の開度を制御して能力制御することにより、小さい負荷の場合にもきめ細かい能力制御ができるので、より広い範囲で負荷に対応した運転ができるものである。
【００５３】
以上のように、各圧縮機の運転台数制御に加え、バイパス弁５２による能力制御を付加したので０ＨＰ〜１０ＨＰまでの広い範囲で、きめ細かな能力制御が可能となるものである。
【００５４】
（実施例４）
図６は本発明の実施例４による多室型空気調和機の運転制御フローチャートを示す。また、ここで示すシステム構成図は図３と同様であり、説明は省略し、各圧縮機の制御およびバイパス弁５２の制御について説明する。
【００５５】
総負荷検知手段３５で検知された総負荷と高負荷側設定値との大小を判定し（６０）、大の場合は大容量一定速圧縮機２１（６ＨＰ）および小容量一定速圧縮機２０（４ＨＰ）を連続運転させる（６１）。さらに、総負荷の値の大小を判定し（６２）、総負荷が増加する場合にはバイパス弁５２を閉方向に動作させ（６３）、総負荷が減少する場合にはバイパス弁５２を開方向に動作させる（６４）。ここで、総負荷と高負荷側設定値との差を比較し（８０）、その差が一定値以上の場合には、引き続き大容量一定速圧縮機２１（６ＨＰ）および小容量一定速圧縮機２０（４ＨＰ）を連続運転させ、バイパス弁５２を動作させる。一方、総負荷と高負荷側設定値との差が一定値以下の場合には、大容量一定速圧縮機を連続運転させ、小容量一定速圧縮機２０を総負荷の値の大小や適正な圧力範囲になるように運転／停止を制御する（６６）。こうすることにより、６ＨＰ〜１０ＨＰの範囲の負荷に対応できる制御てなるばかりでなく、バイパス弁５２による能力制御が付加されるので、小容量一定速圧縮機２０と大容量一定速圧縮機２１の同時運転では能力がやや過剰な運転条件などの場合に、特に適した能力制御が可能となり、さらに、バイパス弁５２用いる負荷範囲を設定して、バイパス量が多くなる場合には圧縮機の台数制御に切り替えるようにしたので、バイパス量が過剰となって起こる効率の低下を防ぐことができ、常に負荷に対応した最適なサイクルで運転することが可能となる。
【００５６】
次に、総負荷が高負荷側設定値より小の場合は、総負荷と低負荷側設定値と大小を判定し（６５）、大の場合には大容量一定速圧縮機２１が連続運転し、小容量一定速圧縮機２０を停止させる（６６）。
【００５７】
さらに、総負荷の値の大小を判定し（６７）、総負荷が増加する場合にはバイパス弁５２を閉方向に動作させ（６８）、総負荷が減少する場合にはバイパス弁５２を開方向に動作させる（６９）。ここで、総負荷と高負荷側設定値との差を比較し（８２）、一定値以上の場合には、引き続き大容量一定速圧縮機２１（６ＨＰ）のみを連続運転させ、バイパス弁５２を動作させる。一方、総負荷と高負荷側設定値との差が一定値以下の場合には、大容量一定速圧縮機２１と小容量一定速圧縮機２０を総負荷の値の大小や適正な圧力範囲になるように交互に運転させる（８３）。
【００５８】
こうすることにより、先と同じように、４ＨＰ〜６ＨＰの範囲の負荷に対応できる制御となるばかりでなく、バイパス弁５２による能力制御が付加されるので、大容量一定速圧縮機２１のみの運転では能力がやや過剰な運転条件などの場合に、特に適した能力制御が可能となり、さらに、バイパス弁５２を用いる負荷範囲を設定して、バイパス量が多くなる場合には圧縮機の台数制御に切り替えるようにしたので、バイパス量が過剰となって起こる効率の低下を防ぐことができ、常に負荷に対応した最適な圧縮機台数およびサイクルで運転することが可能となる。
【００５９】
次に、総負荷が低負荷側設定値より小の場合には大容量一定速圧縮機２１を停止し、小容量一定速圧縮機２０を連続運転させる（７０）。さらに、総負荷の値の大小を判定し（７１）、総負荷が増加する場合にはバイパス弁５２を閉方向に動作させ（７２）、総負荷が減少する場合にはバイパス弁５２を開方向に動作させる（７３）。こうすることにより、総負荷が低負荷側設定値より小さい場合にも、小容量一定速圧縮機の運転／停止ではなく、バイパス弁５２の開度を制御して能力制御することにより、小さい負荷の場合にもきめ細かい能力制御ができるので、より広い範囲で負荷に対した運転ができるものである。
【００６０】
以上のように、各圧縮機の運転台数制御に加え、バイパス弁５２による能力制御を付加したので０ＨＰ〜１０ＨＰまでの広い範囲でのきめ細かな能力制御が可能となり、また、バイパス量の過剰な場合には圧縮機台数制御に切り換えるようにしたので、バイパス量増加による効率の低下を防止しながら、常に高効率な圧縮機台数で運転することができるものである。
【００６１】
【発明の効果】
以上のように、本発明による多室型空気調和機では、室内機の総負荷と高負荷側設定値、低負荷側設定値を比較し、その比較結果に応じて大容量一定速圧縮機及び小容量一定速圧縮機の運転／停止をさせることにより、簡単な運転台数制御で負荷変動に対応した運転ができ、あらゆる負荷の状況でも連続した能力制御が可能となり、能力の過不足は起こることなく、常に高効率な運転が可能となる。
【００６２】
また、吐出系統と吸入系統を接続するバイパス弁を有するバイパス管を設け、総負荷が低負荷側設定値より小さく、総負荷と低負荷側設定値との差が大きい場合には前記バイパス弁を開方向に動作させることにより、総負荷が低負荷側設定値より小さい場合に、吐出ガスの吸入系統へバイパス量を調整することにより、冷凍サイクルの冷媒循環量を減少させて、負荷が小さい場合にもきめ細かい能力制御が可能となる。
【００６３】
さらにまた、総負荷が高負荷側設定値より大きい場合においても、吐出ガスの吸入系統へのバイパス量を調整することにより、冷凍サイクルの冷媒循環量を減少させてきめ細かい能力制御を可能とし、また、バイパス量の過剰な場合には圧縮機台数制御に切り換えるようにしたので、バイパス量増加による効率の低下を防止しながら、常に高効率な圧縮機台数で運転することができるなど多大な効果を有するものである。
【図面の簡単な説明】
【図１】本発明の実施例１による多室型空気調和機のシステム構成図
【図２】本発明の実施例１による多室型空気調和機の制御フローチャート
【図３】本発明の実施例２による多室型空気調和機のシステム構成図
【図４】本発明の実施例２による多室型空気調和機の制御フローチャート
【図５】本発明の実施例３による多室型空気調和機の制御フローチャート
【図６】本発明の実施例４による多室型空気調和機の制御フローチャート
【図７】従来の多室型空気調和機のシステム構成図
【符号の説明】
２０  小容量一定速圧縮機
２１  大容量一定速圧縮機
２２ａ，２２ｂ  逆止弁
２３  四方弁
２４  室外側熱交換器
２５  アキュムレータ
２６  均油管
２７  室外側膨張弁
２８  室外ユニット
２９ａ，２９ｂ，２９ｃ，２９ｄ  室内ユニット
３０ａ，３０ｂ，３０ｃ，３０ｄ  室内側膨張弁
３１ａ，３１ｂ，３１ｃ，３１ｄ  室内側熱交換器
３２  ガス側主配管
３２ａ，３２ｂ，３２ｃ，３２ｄ  ガス側支管
３３  液側主配管
３３ａ，３３ｂ，３３ｃ，３３ｄ  液側支管
３４ａ，３４ｂ，３４ｃ，３４ｄ  室温センサー
３５  総負荷検知手段
３６  負荷比較手段
３７  複数圧縮機発停制御手段
５０  吐出管
５１  吸入管
５２  バイパス弁
５３  システム能力制御手段
【図１】
0003834905.tif 000002
【図２】
0003834905.tif 000003
【図３】
0003834905.tif 000004
【図４】
0003834905.tif 000005
【図５】
0003834905.tif 000006
【図６】
0003834905.tif 000007
【図７】
0003834905.tif 000008